(57)【要約】      （修正有）【課題】キャラクターの動作を擬似的に再現でき、上部飾りが外れることのない目覚まし時計の動作機構を提供する。【解決手段】時計表示部を備えた球体状の時計本体１と、時計本体１の上ケースに飾り部１００を回転可能に装着した目覚まし時計において、時計本体１は、上部に回転テーブルを回転可能に装着し、内部に時計本体１を揺動駆動する回転機構を備え、回転機構は、モータ、電池Ｂ、モータの回転により旋回動作するアーム部、アーム部に装着された錘３４と、を設け、飾り部１００は、モータに駆動連係して回転する飾り部回転軸５２ａの上部に固着され、飾り部回転軸５２ａは、回転テーブルに装着されて構成され、電池Ｂと錘３４の合成重心は、飾り部回転軸５２ａが地面に対し垂直となる位置に設けられている目覚まし時計の動作機構。【選択図】図１１
2018048847.tif 000002
【特許請求の範囲】
【請求項１】
時計表示部２を備えた球体状の時計本体１と、前記時計本体１の上ケース５に飾り部１００を回転可能に装着した目覚まし時計において、
前記時計本体１は、上部に回転テーブル４０を回転可能に装着し、内部に当該時計本体１を揺動駆動する回転機構を備え、
前記回転機構は、モータＭと、前記モータＭを駆動するための電池Ｂと、前記モータＭに駆動連係し当該モータＭの回転により旋回動作するアーム部３０と、前記アーム部３０に装着された錘３４と、を設けて構成され、
前記飾り部１００は、前記モータＭに駆動連係して回転する飾り部回転軸５２ａの上部に固着され、
前記飾り部回転軸５２ａは、前記回転テーブル４０に装着されて構成され、
前記電池Ｂと前記錘３４の合成重心（ＣＧ：Ｃｅｎｔｅｒ  ｏｆ  Ｇｒａｖｉｔｙ）は、前記飾り部回転軸５２ａが地面に対し垂直となる位置に設けられていることを特徴とする目覚まし時計の動作機構。
【請求項２】
時計表示部２を備えた球体状の時計本体１と、前記時計本体１の上部に飾り部１００を回転可能に装着した目覚まし時計において、
モータＭ、前記モータＭを駆動するための電池Ｂ、前記モータＭに駆動連係する出力歯車１１を備えた駆動出力部１０と、
前記駆動出力部１０の上方に設けられ、当該駆動出力部１０に駆動連係する歯車ケース２０と、
前記歯車ケース２０の上方に設けられ、当該歯車ケース２０に駆動連係するアーム部３０と、
前記時計本体１の外装の上部に回転可能に装着され、その下部が前記アーム部３０に固着され、かつ前記飾り部１００を側部に装着した回転テーブル４０と、
３以上の奇数個の歯車で構成され、その一端の歯車５１が前記歯車ケース２０に駆動連係するとともに、その他端の歯車５２に前記飾り部１００が装着される輪列５０と、
を備え、；
前記歯車ケース２０は、そのケース本体２１に、下方開口の歯車収納部２２、上方開口の歯車収納部２３を設けるとともに、前記下方開口の歯車収納部２２の上部に突出軸２４を設け、当該歯車収納部２２および突出軸２４を回転中心として、前記時計本体１の下ケース６に回転可能に保持され、
さらに、前記下方開口の歯車収納部２２には前記出力歯車１１を回転可能に装着し、前記上方開口の歯車収納部２３には、大径歯車２５ａと小径歯車２５ｂを有する中間歯車２５を回転可能に装着し、
前記歯車ケース２０の前記突出軸２４は、上端に歯車部２４ａを備え、この歯車部２４ａは前記輪列５０の前記一端の歯車５１と係合し、
前記歯車ケース２０の前記上方開口の歯車収納部２３には、前記中間歯車２５の回転支持軸２３ａを突設し、；
前記アーム部３０は、前記歯車ケース２０の前記突出軸２４を挿通する本体部３１と、前記本体部３１の一端部に錘３４を装着した錘収納部３２とを備え、
前記本体部３１の下部には、前記歯車ケース２０に収納した前記中間歯車２５の小径歯車２５ｂと噛み合う歯車３３を備え、；
前記モータＭに駆動連係する出力歯車１１は、前記中間歯車２５の前記大径歯車２５ａに歯合し、この中間歯車２５の小径歯車２５ｂは前記アーム部３０の歯車３３に歯合しており、；
前記アーム部３０の回転駆動に要する回転トルクは、前記歯車ケース２０の回転駆動に要する回転トルクよりも大きいものであることを特徴とする目覚まし時計の動作機構。
【請求項３】
前記歯車ケース２０の下部には下方へ突出する突起２６を設け、また、前記時計本体１の前記下ケース６には、前記突起２６に当接して前記歯車ケース２０の回転を阻止する当接部材６ａを設けたことを特徴とする請求項２記載の目覚まし時計の動作機構。
【請求項４】
前記突出軸２４の前記歯車部２４ａと係合する前記輪列５０の前記一端の歯車５１は、当該歯車５１の下部に、前記歯車部２４ａを外側から把持する複数のラチェット爪歯５１ｂを設けたことを特徴とする請求項２記載の目覚まし時計の動作機構。
【発明の詳細な説明】
【技術分野】
【０００１】
本発明は、球体状の目覚まし時計が揺動動作する目覚まし時計の動作機構に関する。
【背景技術】
【０００２】
従来の目覚まし時計において、特徴的なキャラクターの動作を擬似的に再現した目覚まし時計が知られている（特許文献１）。
【０００３】
また、キャラクター玩具などでは、球体に軸を挿通し、上部に飾りを設けてこれを回転するものや、球体の内部に重い動力車を設けて、この動力車で球体を動作させると同時に、球体内と上部飾りの双方に磁石を配置し、球体の動作に対し前記磁石で上部飾りを追随させるものなどが知られている。
【先行技術文献】
【特許文献】
【０００４】
【特許文献１】特開２００２−９６６号公報
【発明の概要】
【発明が解決しようとする課題】
【０００５】
上述したものにおいて、軸を中心に飾りが回転するものは、動作が特徴的なキャラクターの動きとは異なる。また、球体の内部に動力車を設けるものは、上部飾りを磁石で固定しているため、分離してしまうといった不具合を生じることがある。
【０００６】
本発明は、時計表示部を備えた球体状の時計本体と、この時計本体の上ケースに飾り部を回転可能に装着した目覚まし時計において、全体的に特徴のあるキャラクターの動作を擬似的に再現でき、上部飾りが外れることのない目覚まし時計の動作機構を提案するものである。
【課題を解決するための手段】
【０００７】
本願第１請求項に記載した発明は、実施例で用いた符号を付して記すと、時計表示部２を備えた球体状の時計本体１と、前記時計本体１の上ケース５に飾り部１００を回転可能に装着した目覚まし時計において、
前記時計本体１は、上部に回転テーブル４０を回転可能に装着し、内部に当該時計本体１を揺動駆動する回転機構を備え、
前記回転機構は、モータＭと、前記モータＭを駆動するための電池Ｂと、前記モータＭに駆動連係し当該モータＭの回転により旋回動作するアーム部３０と、前記アーム部３０に装着された錘３４と、を設けて構成され、
前記飾り部１００は、前記モータＭに駆動連係して回転する飾り部回転軸５２ａの上部に固着され、
前記飾り部回転軸５２ａは、前記回転テーブル４０に装着されて構成され、
前記電池Ｂと前記錘３４の合成重心（ＣＧ：Ｃｅｎｔｅｒ  ｏｆ  Ｇｒａｖｉｔｙ）は、前記飾り部回転軸５２ａが地面に対し垂直となる位置に設けられていることを特徴とする目覚まし時計の動作機構である。
【０００８】
本願第２請求項に記載した発明は、時計表示部２を備えた球体状の時計本体１と、前記時計本体１の上部に飾り部１００を回転可能に装着した目覚まし時計において、
モータＭ、前記モータＭを駆動するための電池Ｂ、前記モータＭに駆動連係する出力歯車１１を備えた駆動出力部１０と、
前記駆動出力部１０の上方に設けられ、当該駆動出力部１０に駆動連係する歯車ケース２０と、
前記歯車ケース２０の上方に設けられ、当該歯車ケース２０に駆動連係するアーム部３０と、
前記時計本体１の外装の上部に回転可能に装着され、その下部が前記アーム部３０に固着され、かつ前記飾り部１００を側部に装着した回転テーブル４０と、
３以上の奇数個の歯車で構成され、その一端の歯車５１が前記歯車ケース２０に駆動連係するとともに、その他端の歯車５２に前記飾り部１００が装着される輪列５０と、
を備え、；
前記歯車ケース２０は、そのケース本体２１に、下方開口の歯車収納部２２、上方開口の歯車収納部２３を設けるとともに、前記下方開口の歯車収納部２２の上部に突出軸２４を設け、当該歯車収納部２２および突出軸２４を回転中心として、前記時計本体１の下ケース６に回転可能に保持され、
さらに、前記下方開口の歯車収納部２２には前記出力歯車１１を回転可能に装着し、前記上方開口の歯車収納部２３には、大径歯車２５ａと小径歯車２５ｂを有する中間歯車２５を回転可能に装着し、
前記歯車ケース２０の前記突出軸２４は、上端に歯車部２４ａを備え、この歯車部２４ａは前記輪列５０の前記一端の歯車５１と係合し、
前記歯車ケース２０の前記上方開口の歯車収納部２３には、前記中間歯車２５の回転支持軸２３ａを突設し、；
前記アーム部３０は、前記歯車ケース２０の前記突出軸２４を挿通する本体部３１と、前記本体部３１の一端部に錘３４を装着した錘収納部３２とを備え、
前記本体部３１の下部には、前記歯車ケース２０に収納した前記中間歯車２５の小径歯車２５ｂと噛み合う歯車３３を備え、；
前記モータＭに駆動連係する出力歯車１１は、前記中間歯車２５の前記大径歯車２５ａに歯合し、この中間歯車２５の小径歯車２５ｂは前記アーム部３０の歯車３３に歯合しており、；
前記アーム部３０の回転駆動に要する回転トルクは、前記歯車ケース２０の回転駆動に要する回転トルクよりも大きいものであることを特徴とする目覚まし時計の動作機構である。
【０００９】
本願第３請求項に記載した発明は、前記請求項２において、前記歯車ケース２０の下部には下方へ突出する突起２６を設け、また、前記時計本体１の前記下ケース６には、前記突起２６に当接して前記歯車ケース２０の回転を阻止する当接部材６ａを設けたことを特徴とする目覚まし時計の動作機構である。
【００１０】
本願第４請求項に記載した発明は、前記請求項２において、前記突出軸２４の前記歯車部２４ａと係合する前記輪列５０の前記一端の歯車５１は、当該歯車５１の下部に、前記歯車部２４ａを外側から把持する複数のラチェット爪歯５１ｂを設けたことを特徴とする目覚まし時計の動作機構である。
【発明の効果】
【００１１】
本願第１請求項に記載した発明において、球体状の時計本体１は、錘３４を備えた回転機構のアーム部３０が旋回動作することにより、揺動動作する。そして、飾り部１００と時計表示部２は、揺動動作がなされても常時正面を向いている。さらに、この時計本体１の揺動動作に際しては、電池Ｂと錘３４の合成重心が、地面に対し飾り部回転軸５２ａが垂直となる位置に設けられているので、飾り部１００は常に上部に位置している。
【００１２】
このように、請求項１の発明は、時計本体が、回転機構により重心が移動することで揺動動作して、あたかも玉乗りをしているような動作を擬似的に再現することができる。
【００１３】
そして、この揺動動作において飾り部と時計表示部は正面を向いているので、時計表示機能を十全に果たすことができる。
【００１４】
さらに、飾り部は飾り部回転軸の上部に固着されて、前記従来の玩具とは異なり外れることがないため、目覚まし時計として手の触れる場所に設置することが可能であるという作用効果も奏する。
【００１５】
本願第２請求項に記載した発明によれば、駆動出力部１０、駆動出力部１０に駆動連係する歯車ケース２０、歯車ケース２０に駆動連係するアーム部３０、アーム部３０に固着され前記飾り部１００を装着した回転テーブル４０、および、３以上の奇数個の歯車で構成される輪列５０を備えているので、モータＭが駆動すると、この駆動力は順次、出力歯車１１、中間歯車２５および歯車ケース２０、アーム部３０および輪列５０、そして回転テーブル４０および飾り部１００へと伝達される。
【００１６】
さらに、アーム部３０の回転駆動に要する回転トルクは、歯車ケース２０の回転駆動に要する回転トルクよりも大きいので、歯車ケース２０に収納されている中間歯車２５は、アーム部３０を回転駆動させることができずに、その小径歯車２５ｂがアーム部３０の歯車３３と噛み合いながら転動する。この中間歯車２５の転動の駆動力によって、歯車ケース２０だけが回転駆動する。
【００１７】
歯車ケース２０が回転すると、突出軸２４も回転し、この回転駆動力が先端歯部２４ａ、輪列５０の前記一端の歯車５１、当該輪列５０を介して他端の歯車５２へと伝達され、この歯車５２に装着されている飾り部１００が回転動作する。このとき、上述のようにアーム部３０は回転駆動しないので、このアーム部３０に固着されている回転テーブル４０は回転動作がなされない。したがって、飾り部１００だけが回転動作するので、いわばキョロキョロといった具合に、あたりを見回すような動作を醸し出す。
【００１８】
他方、本願第３請求項に記載した発明のように、歯車ケース２０の下部に下方へ突出する突起２６を設けるとともに、時計本体１の下ケース６に前記突起２６と当接する当接部材６ａを設けた場合は、歯車ケース２０が回転した途上でその回転が阻止されるので、つまり、歯車ケース２０の回転駆動に要する回転トルクが、アーム部３０の回転駆動に要する回転トルクに対し極めて大きくなる。そのため、前記第２請求項の場合とは異なり、歯車ケース２０の回転に代わって、歯車ケース２０に収納されている中間歯車２５が回転して、その小径歯車２５ｂがアーム部３０の歯車３３を回転駆動する。つまり、この中間歯車２５の回転駆動力によって、アーム部３０が回転駆動する。そして、このアーム部３０の回転により、これに固着されている回転テーブル４０も回転駆動する。
【００１９】
なお、モータＭを適宜の時間内で正反転させて、歯車ケース２０の突起２６が当接部材６ａに当接しない状態を出現させることで、このような突起２６および当接部材６ａを設けた場合でも、つまり回転テーブル４０を回転駆動させないで、前述のあたりを見回すような動作を行わせることが可能となる。
【００２０】
アーム部３０が回転駆動すると、装着されている錘３４の旋回により、当該錘３４の旋回方向における時計本体１の荷重バランスが変化するので、時計本体１が揺動する。また、同時に回転テーブル４０が回転駆動し、これにより当該回転テール４０の側部に装着された飾り部１００も揺動旋回する。
【００２１】
このように、回転テーブル４０が回転駆動して、当該回転テール４０の側部に装着された飾り部１００が揺動旋回すると、飾り部１００は通常であればその正面部が放射方向に向いていくことになるが、本願の飾り部１００は、３以上の奇数個の歯車で構成される輪列５０の他端の歯車５２に装着されているので、これらの歯車の歯数を適宜に設定することにより、旋回する飾り部１００の正面部を、常に時計表示部２と同一の方向（正面方向）に向けさせることが可能となる。
【００２２】
また、本願発明に係る目覚まし時計を組み立てる際に、飾り部１００の正面部と時計表示部２とを同一方向に向けることが要請されるところ、組み立て作業の如何によってはその方向が若干異なることがあり得る。
【００２３】
このような場合において、本願第４請求項に記載した発明のように、突出軸２４の前記歯車部２４ａと係合する前記輪列５０の前記一端の歯車５１の下部に、歯車部２４ａを外側から把持する複数のラチェット爪歯５１ｂを設けて構成すると、この歯車部２４ａと複数のラチェット爪歯５１ｂとの相対位置を修正することができて、飾り部１００の正面部と時計表示部２とを同一方向に向けることが可能となる。また、飾り部１００に、人手で回されるなど強い外力が加わった場合においても、上記のラチェット構造で駆動伝達機構を保護することができる。
【図面の簡単な説明】
【００２４】
【図１】本実施例の目覚まし時計を正面方向から見た斜視図である。
【図２】本実施例目覚まし時計を背面方向から見た斜視図である。
【図３】本実施例目覚まし時計の表示部を正面方向から見た斜視図である。
【図４】本実施例の目覚まし時計を正面方向から見た斜視図であって飾り部の首振り範囲を示す図である。
【図５】本実施例の目覚まし時計を正面方向から見た斜視図であって時計本体および飾り部の一連の揺動動作を連続して示す図である。
【図６】本実施例の目覚まし時計の内部構造を示す分解斜視図である。
【図７】本実施例の目覚まし時計の内部構造を示す分解斜視図である。
【図８】本実施例の目覚まし時計の内部構造を示す分解斜視図である。
【図９】本実施例の目覚まし時計の内部構造を示す縦断正面図である。
【図１０】本実施例の目覚まし時計の内部構造を示す縦断斜視図である。
【図１１】本実施例の目覚まし時計の内部構造を示す縦断正面図であって、構成電池と構成錘の合成重心を示す図である。
【図１２】本実施例の目覚まし時計を分解して示す斜視図である。
【発明を実施するための最良の形態】
【００２５】
以下に、本発明の実施例を図面に基づいて説明する。
【００２６】
本例の目覚まし時計は、図１〜図５に示すように、時計表示部２を備えた球体状の時計本体１と、前記時計本体１の上ケース５に飾り部１００を回転可能に装着した時計である。そして、目覚まし設定時刻や、人感センサー４により人の気配を感受したとき、モニタボタンを押したときなどにおいて、時計本体１が正面側を向きながら旋回揺動し、同時にあるいは個別に飾り部１００が旋回揺動する動作を行うものである。
【００２７】
この目覚まし時計は、本例の場合、時計本体１の正面側に、時計表示部２と人感センサー４を備え、この時計表示部２は、表示部カバー３で覆われて、適宜この表示部カバー３を開閉することができるように設けられている。
【００２８】
本例の目覚まし時計の動作態様は、大別すると、上述のように、時計本体１が正面側を向きながら旋回揺動するものと、時計本体１上部の飾り部１００が旋回揺動するものが、設けられている。
【００２９】
以下において、図６〜図１２を用いて本例の目覚まし時計の動作機構を説明する。
【００３０】
本例の目覚まし時計は、前述のとおり、時計表示部２を備えた球体状の時計本体１と、前記時計本体１の上ケース５に飾り部１００を回転可能に装着して構成される。なお、符号５ａは、上ケース５の窪み部、符号６は、下ケース、また、符号６ａは、当接部材で、後述する歯車ケース２０の回転を阻止する部材であり、符号６ｂは、電池収納部、符号７は、バッテリカバーである。
【００３１】
時計本体１は、上部に回転テーブル４０を回転可能に装着し、内部に当該時計本体１を揺動駆動する回転機構を備える。なお、回転テーブル４０は、本例の場合、上ケース５の窪み部５ａの箇所に装着される。
【００３２】
この回転機構は、モータＭと、モータＭを駆動するための電池Ｂと、モータＭに駆動連係し当該モータＭの回転により旋回動作するアーム部３０と、アーム部３０に装着された錘３４と、を設けて構成される。
【００３３】
飾り部１００は、モータＭに駆動連係して回転する飾り部回転軸５２ａの上部に固着され、飾り部回転軸５２ａは、回転テーブル４０に装着されて構成され、そして、電池Ｂと錘３４の合成重心（ＣＧ：Ｃｅｎｔｅｒ  ｏｆ  Ｇｒａｖｉｔｙ）は、図１１に示すように、飾り部回転軸５２ａが地面に対し垂直となる位置に設けられている。
【００３４】
この場合、時計本体１の内部において、電池Ｂは固定されている一方で、アーム部３０が回転して錘３４が旋回するので、当該錘３４の旋回方向における時計本体１の荷重バランスが変化して、時計本体１が揺動する。時計本体１は底面を支点として、正面方向を向いたまま揺動旋回する。
【００３５】
また、アーム部３０が回転するときは、歯車ケース２０は後述のように時計本体１内で回転が阻止されるので、歯車ケース２０に駆動連係する飾り部回転軸５２ａは回転しない。
【００３６】
他方、アーム部３０に回転テーブル４０が固着されているので、アーム部３０の回転に伴って回転テーブル４０が回転する。飾り部１００は、後に詳述するように、回転テーブル４０の側部に設けられた保持部４１に保持されているので、この回転テーブル４０の回転に伴い旋回駆動することとなる。本例では、後述する輪列５０を介して飾り部１００を回転駆動しているので、飾り部１００の正面部は放射方向を向くことなく、当初の正面方向の向きを維持する。そして、飾り部１００は、アーム部３０の動作が停止する際は、アーム部３０の錘３４との重量バランスにより、最上部に位置する。
【００３７】
次に、モータＭからの回転駆動機構の構成を詳述する。
【００３８】
図６〜図８において、駆動出力部１０は、電池Ｂにより駆動するモータＭ、モータＭの駆動軸に固着したウオーム歯車Ｗ、ウオーム歯車Ｗにその下部歯車１１ａが噛み合う出力歯車１１で構成される。出力歯車１１は、歯車ケース２０の下方開口の歯車収納部２２に回転可能に装着される。
【００３９】
歯車ケース２０は、駆動出力部１０の上方に設けられて、この駆動出力部１０に駆動連係する。
【００４０】
さらに、歯車ケース２０は、そのケース本体２１に、下方開口の歯車収納部２２、上方開口の歯車収納部２３を設けるとともに、前記下方開口の歯車収納部２２の上部に突出軸２４を設けている。そして、歯車ケース２０は、歯車収納部２２および突出軸２４を回転中心として、時計本体１の下ケース６に回転可能に保持される。
【００４１】
歯車ケース２０の下方開口の歯車収納部２２には、前記出力歯車１１を回転可能に装着し、上方開口の歯車収納部２３には、大径歯車２５ａと小径歯車２５ｂを有する中間歯車２５を回転可能に装着する。
【００４２】
また、出力歯車１１は、中間歯車２５の大径歯車２５ａに歯合し、この中間歯車２５の小径歯車２５ｂは前記アーム部３０の歯車３３に歯合している。
【００４３】
歯車ケース２０の突出軸２４は、上端に歯車部２４ａを備え、この歯車部２４ａは後述する輪列５０の一端の歯車５１と係合する。
【００４４】
また、歯車ケース２０の上方開口の歯車収納部２３には、中間歯車２５の回転支持軸２３ａを突設している。
【００４５】
上述した歯車ケース２０の上方には、この歯車ケース２０に駆動連係するアーム部３０が設けられる。
【００４６】
アーム部３０は、歯車ケース２０の突出軸２４を挿通する本体部３１と、本体部３１の一端部に錘３４を装着した錘収納部３２とを備える。
【００４７】
また、本体部３１の下部には、歯車ケース２０に収納した前記中間歯車２５の小径歯車２５ｂと噛み合う歯車３３を備える。
【００４８】
さらに、アーム部３０には、上方に回転テーブル４０が固着される。なお、符号４２は、回転テーブル４０のカバーである。
【００４９】
回転テーブル４０は、時計本体１の外装の上部に回転可能に装着され、その下部が、上述のように、アーム部３０に固着される。このアーム部３０と回転テーブル４０との間には、３以上の奇数個の歯車で構成される輪列５０を配置している。なお、本例の場合、輪列５０は、３個の歯車で構成されており、その一端の歯車５１が歯車ケース２０に駆動連係するとともに、その他端の歯車５２に飾り部１００が装着されている。一端の歯車５１と他端の歯車５２との間には、中央の歯車５３が装着されている。なお、一端の歯車５１はその回転軸が所定箇所に回転可能に固定され、この歯車５１の周りを、中央の歯車５３および他端の歯車５２が回ることとなる。
【００５０】
また、回転テーブル４０の側部には、保持部４１を設けて、これに飾り部１００を回転可能に装着している。すなわち、回転テーブル４０は、前記輪列５０の前記他端の歯車５２の軸５２ａを保持する半筒状の保持部４１を、時計本体１の外装から上方へ突出させて形成し、また、回転テーブル４０には、カバー４２を装着し、さらに、このカバー４２の下面にて、輪列５０の前記一端の歯車５１と中央の歯車５３の双方の上端を回転可能に支持して構成されている。
【００５１】
本例の場合、輪列５０において、一端の歯車５１の歯数と他端の歯車５２の歯数とを同一に設けている。そして、飾り部１００は、回転テーブル４０の回転に伴い旋回駆動する際に、飾り部１００の正面部は放射方向を向くことなく、つまり３６０度見渡すように動作することなく、当初の正面方向の向きを維持しつつ旋回動作する。
【００５２】
ところで、上述したように、モータＭに駆動連係する出力歯車１１は、中間歯車２５の大径歯車２５ａに歯合し、この中間歯車２５の小径歯車２５ｂは前記アーム部３０の歯車３３に歯合している。
【００５３】
そして、アーム部３０の回転駆動に要する回転トルクは、このアーム部３０に錘３４を装着しているので、歯車ケース２０の回転駆動に要する回転トルクよりも大きくなっている。
【００５４】
そのため、歯車ケース２０とアーム部３０の回転駆動構成においては、歯車ケース２０に収納されている中間歯車２５は、アーム部３０を回転駆動させることができずに、その小径歯車２５ｂがアーム部３０の歯車３３と噛み合いながら転動する。この中間歯車２５の転動の駆動力によって、歯車ケース２０だけが回転駆動する。
【００５５】
このように、歯車ケース２０だけが回転駆動するので、本例では、次のような機構を備えている。
【００５６】
すなわち、歯車ケース２０の下部に下方へ突出する突起２６を設けるとともに、時計本体１の下ケース６に前記突起２６と当接する当接部材６ａを設けている。このように構成すると、歯車ケース２０が回転した途上で突起２６が当接部材６ａに当接してその回転が阻止されるので、歯車ケース２０の回転に代わって、歯車ケース２０に収納されている中間歯車２５が回転して、その小径歯車２５ｂがアーム部３０の歯車３３を回転駆動する。つまり、この中間歯車２５の回転駆動力によって、アーム部３０が回転駆動する。そして、このアーム部３０の回転により、これに固着されている回転テーブル４０も回転駆動することになる。
【００５７】
また、本例の目覚まし時計を組み立てる際に、飾り部１００の正面部と時計表示部２とを同一方向に向けることが要請されるが、組み立て作業の如何によってはその方向が若干異なることがあり得る。
【００５８】
このような場合において、本例では、突出軸２４の歯車部２４ａと係合する輪列５０の前記一端の歯車５１の下部に、歯車部２４ａを外側から把持する複数のラチェット爪歯５１ｂを設けている。このように構成すると、この歯車部２４ａと複数のラチェット爪歯５１ｂとの相対位置を修正することができて、飾り部１００の正面部と時計表示部２とを同一方向に向けることが可能となる。さらに、飾り部１００に、例えば人手で回されるなど強い外力が加わった場合においても、上記のラチェット構造で駆動伝達機構を保護することができる。
【００５９】
上述した実施例の目覚まし時計において、例えば、アラーム時刻になるとアラーム音とともにＬＥＤが点滅して時計本体や上部飾りが動作したり、また、人感センサーが感知すると効果音が鳴るとともにＬＥＤが光り、動作を行うなど、適宜の動作を組み合わせることができる。さらに、モータＭの回転速度を変えたり、短い時間内に正転逆転を行ったり、また回転速度の変化と正逆転を組み合わせるなど、適宜の動作態様を設定してキャラクター趣向を設けることができるものである。
【産業上の利用可能性】
【００６０】
本発明の目覚まし時計は、特徴的なキャラクターの動作を擬似的に再現することができてからくり効果にも優れたものであり、目覚ましとして手の触れる場所に設置することが可能な時計一般に好適に利用することができるものである。
【符号の説明】
【００６１】
１    時計本体
２    時計表示部
３    表示部カバー
４    人感センサー
５    上ケース
５ａ    窪み部
６    下ケース
６ａ    当接部材
６ｂ    電池収納部
７    バッテリカバー
１０    駆動出力部
１１    出力歯車
１１ａ    下部歯車
２０    歯車ケース
２１    ケース本体
２２    下方開口の歯車収納部
２３    上方開口の歯車収納部
２３ａ    中間歯車の回転支持軸
２４    突出軸
２４ａ    先端歯車
２５    中間歯車
２５ａ    大径歯車
２５ｂ    小径歯車
２６    突起
３０    アーム部
３１    本体部
３２    錘収納部
３３    歯車
３４    錘
４０    回転テーブル
４１     保持部
４２    カバー
５０    輪列
５１    一端の歯車
５１ａ    一端の歯車の軸
５１ｂ    ラチェット爪歯
５２    他端の歯車
５２ａ    他端の歯車の軸
５３    中央の歯車
５３ａ    中央の歯車の軸
１００    飾り部
Ｍ    モータ
Ｗ    ウオーム歯車
Ｂ    電池
ＣＧ    重心
【図１】
2018048847.tif 000003
【図２】
2018048847.tif 000004
【図３】
2018048847.tif 000005
【図４】
2018048847.tif 000006
【図５】
2018048847.tif 000007
【図６】
2018048847.tif 000008
【図７】
2018048847.tif 000009
【図８】
2018048847.tif 000010
【図９】
2018048847.tif 000011
【図１０】
2018048847.tif 000012
【図１１】
2018048847.tif 000013
【図１２】
2018048847.tif 000014